(57)【要約】      （修正有）【課題】緊急時に１人でも簡単に作業ができ、普段のメンテナンスも必要なく確実に止水ができ、事前の金具取付の必要がなくどこにでも固定ができる止水板とそれを用いた止水構造を提供すること。【解決手段】弾性を有する平板状の止水板本体１１と止水板本体１１の両端に設けられる取付具とからなる止水板１を水の流入する方向に突出するように湾曲させた状態で、略Ｌ字形状の剛性体である取付部を開口部左右の取付角部に沿わせて止水板本体１１の弾性反発力で取付部を取付角部に圧接係止させた止水構造を提供する。【選択図】図１
2020023801.tif 000002
【特許請求の範囲】
【請求項１】
開口部左右の取付角部に固定される止水板であって、弾性を有する平板状の止水板本
体と止水板本体の両端に設けられる取付具とからなることを特徴とする止水板。
【請求項２】
取付具は取付角部に沿わせて係止される水平部と垂直部とからなる略Ｌ字形状の剛性体であることを特徴とする請求項1に記載の止水板。  
【請求項３】
水の流入する方向に突出するように止水板本体を湾曲させた状態で、取付部を開口部左右の取付角部に沿わせて止水板本体の弾性反発力で取付部を取付角部に圧接係止させることを特徴とする請求項1又は２の何れかに記載の止水板を用いた止水構造。
【発明の詳細な説明】
【技術分野】
【０００１】
本発明は、水の流入方向に向かって湾曲させて開口部に固定する止水板及びそれを用いた止水構造に関するものである。
【背景技術】
【０００２】
近年、ゲリラ豪雨や巨大台風等の影響で低い土地での浸水が発生し、特に地下街、地下駐車場、地下鉄等の出入口から水が浸入すると、都市機能がマヒし甚大な被害が生じる。
【０００３】
これを防止するために、出入口で水の侵入を遮断するための止水装置が種々使用されるが、従来は、止水板としてフレーム形状の枠に板を張り、厚みのあるパネルを緊急時に出入口部分に固定したり、格納しているものをレールで引き出したり、蝶番ヒンジで開閉する等して設置していた。
【０００４】
例えば、特許文献１では、建造物の入口両側に溝を設けた柱を立て、この溝に弾性止水ゴムを設けた防水板を嵌めこんで、柱に防水板を圧接することで水の侵入を防ぐ構造であり、これによれば、防水板はアルミ製の中空構造で内部をステンレス板で補強したもので、柱間を一枚で遮蔽するための大きな板材であり、多人数での作業が必要で、緊急時に迅速な対応がし難い。  
【０００５】
特許文献２では、開口部両端の側壁に止水パネルが連結部材で連結され、通常は側壁部分に収納され、緊急時には止水パネルを引き出して中央部で固定し開口部を遮蔽する止水扉が得られことができる。これによれば、特許文献１の問題点が解消され一人でも簡単に作業ができるという利点がある。
【０００６】
しかし、この止水扉では構造が複雑になり常にメンテナンスをしなければ、故障によって緊急時に遮蔽できない場合もあり、さらに、止水パネルが中央で精度よく接合しなければ、接合部分から水が浸入するおそれもある。
【０００７】
特許文献３では、これらの問題点を解決し簡単に設置できるものであるが、開口部左右の取付角部には事前に連結具が取り付ける必要があり、止水板を必要としない緊急時以外の場合も連結具を開口部に固定された状態で邪魔になると共に見栄えが悪く、例えば、コンビニエンスストア等の店舗のように開口部の大部分がガラスとサッシで形成された入口の場合は取付自体が不可能となる。
【先行技術文献】
【特許文献】
【０００８】
【特許文献１】特開２００１−９８７９２号公報
【特許文献２】特開２００２−３０８６７号公報
【特許文献３】特開２０１７−１２８９０２号公報
【発明の概要】
【発明が解決しようとする課題】
【０００９】
本発明は斯かる点に鑑みてなされたものであり、その目的は、緊急時に１人でも簡単に作業ができ、普段のメンテナンスも必要なく確実に止水ができ、事前の金具取付の必要がなくどこにでも固定ができる止水板とそれを用いた止水構造を提供することにある。
【課題を解決するための手段】
【００１０】
上記の目的の達成のため、請求項１に記載の止水板は、開口部左右の取付角部に固定され、弾性を有する平板状の止水板本体と止水板本体の両端に設けられ止水板本体と一体化された取付具とからなることを特徴とする。    
【００１１】
請求項２に記載の止水板は、請求項1に記載の取付角部に沿わせて係止される取付具が水平部と垂直部とからなる略Ｌ字形状の剛性体であることを特徴とする。
【００１２】
請求項３に記載の止水構造は、請求項１又は請求項２に記載の止水板を用いて、水の流入する方向に突出するように止水板本体を湾曲させた状態で、取付部を開口部左右の取付角部に沿わせて止水板本体の弾性反発力で取付部を取付角部に圧接係止させることができる。
【発明の効果】
【００１３】
本発明の止水板は、開口部左右の取付角部に固定され、弾性を有する平板状の止水板本体と止水板本体の両端に設けられ止水板本体と一体化された取付具とからなることで、使用せずに保管している時は平板上で置いておくことができるので、大きな場所を取ることなく、湾曲した状態での板の破損や変形を防止できる。そして、弾性を有することで使用時には湾曲させて、弾性反発力で開口部左右の取付角部に取付具を確実強固に圧接係止させることができる。また、止水板本体と取付具が一体化されているので、開口部に事前に金具を取り付けておく必要がなくどこにでも取り付けることができる。
【００１４】
請求項２の発明では、請求項1に記載の取付角部に沿わせて係止される取付具が水平部と垂直部とからなる略Ｌ字形状の剛性体であることで、取付具が開口部左右の取付角部に密着して係止固定され、剛性が高い材料で形成されているので水圧に対しても変形せず止水板が強固に設置できる。
【００１５】
請求項３の発明では、請求項１又は請求項２に記載の止水板を用いて、水の流入する方向に突出するように止水板本体を湾曲させた状態で、取付部を開口部左右の取付角部に沿わせて止水板本体の弾性反発力で取付部を取付角部に圧接係止させることができるので、止水板本体の弾性反発力で垂直部が取付角部の垂直面に押し付けられると共に、水流が水平部を押し付けるので、取付具が強固に取付角部に押し付けられる。また、止水板にぶつかる水流が湾曲した止水板に沿って横方向にも流れていくため、止水板にぶつかる水圧の一部が横方向に流れて、より大量の水にも耐えることができる。
【図面の簡単な説明】
【００１６】
【図１】止水板（湾曲させた状態）の平面図である。
【図２】止水板の正面図である。
【図３】止水板を開口部に取り付けた構造を示す斜視図である。
【図４】図３における取付構造の詳細を現す斜視図である。
【図５】図４の平面図である。
【図６】他の実施形態を示す斜視図である。
【発明を実施するための形態】
【００１７】
以下、本発明の実施形態を図面に基づいて詳細に説明する。以下の実施形態の説明は、本質的に例示に過ぎず、本発明、その適用物或いはその用途を制限することを意図するものでは全くない。
【００１８】
図１は本発明の湾曲させた状態の止水板１を示す平面図であり、図２は正面図である。止水板１は弾性を有しており曲げ荷重をかけて湾曲させない時は平板状である止水板本体１１と止水板本体の両端に設けられ、止水板本体と一体化された取付具２からなる。止水板本体１１は大部分の繊維を一方向に配向させ樹脂で固定した例えばＦＲＰやＣＦＲＰのような繊維樹脂複合体であり、基本的に繊維の配向方向は、鉛直（短手）方向の配向である。これによって、止水板は繊維を直交する（折り曲げる）方向には曲げ難く、繊維方向には曲げ易い。この性質を利用すれば止水板本体１１は、中心線１ｃを最突出部分として手でも容易に湾曲させることができる。  
【００１９】
従来の止水板では、湾曲したものが必要な場合は、事前に型材を用いて成形していたが、高価な型材を使用する必要があり、成形にも手間がかかっていた。また、湾曲させた止水板は保管するにも場所を取ったり、保管中に変形、破損して使用できなくなる場合があったが、本発明の止水板は事前に成形する必要がなく、現場の寸法に応じて簡単にその場で湾曲した止水板が得られる。
【００２０】
一方で、成形し易いということは、水圧によって変形し易いということであるため、繊維のない樹脂の部分に水圧がかかると変形し易くなるが、一方向（短手方向）に配向させた繊維の一部を直交する方向（長手方向）とすることで、いろいろな方向からの水圧に対応できる。幅、長さ両方向への繊維の配向の割合は、成形のし易さと強度のバランスを取らなければならないが、短手方向に配向する繊維の２０〜５０％を長手方向に配向する繊維とするのが好ましい。
【００２１】
止水板本体１１に用いる繊維樹脂複合体（比重１．５〜２．０）は、従来の止水板で用いられた鉄（比重７．８）や軽量のアルミニウム（比重２．７）に比べて軽量であり一人でも作業が可能である。繊維としてはガラス繊維等が使用できるが、高強度の炭素繊維を用いることでより軽量高強度の繊維樹脂複合体すなわち止水板本体１１が得られる。
【００２２】
繊維樹脂複合体に用いる繊維としては、ガラス繊維や炭素繊維など各種の補強繊維を短繊維または長繊維でも一方向に繊維を配向させたシートを複数層積層させることができる。これによって、成形のし易さと強度のバランスを取るために短手方向及び長手方向の繊維の配向割合を容易に調整することができる。また、積層する繊維シートの種類を例えば、表裏層を短手方向に配向させた炭素繊維のシートとし、芯層をガラス繊維シートを複数層繊維配向を適宜組合わせることで、強度やコストのバランスの取れた止水板を得ることができる。
【００２３】
左右の取付具２は、水平部２１、垂直部２２が直交する略Ｌ字形状からなり、Ｌ字形状の交点から水の流入方向に向かって水平部から若干斜めに突出する固定部２３を止水板本体１１の端部に重なり合うように密接させて、一体化用固定具３で強固に固定される。なお、この時に接着剤を併用すればさらに水密性の高い固定ができる。取付具２は剛性のある金属を用いるが、硬質で剛性のある樹脂を用いることもできる。取付角部Ｂの水平面（水の流入する方向にに面する）に水平部２１を、水平面とは直角となり互いに他の取付角部と対向する垂直面に垂直部２２を沿わせる。止水板本体１１と固定部２３の間には必要に応じて市販の防水シートを挟んで密着させればより水密性を高めることができる。
【００２４】
次に、止水板１を開口部Ａに装着する方法について説明する。本発明では、止水板を固定するのに金具等を取付角部Ｂに設置する必要がなく、弾性を有する平板状の止水板本
体１１を湾曲させて取付具２を取付角部Ｂに沿わせて係止すれば、図５の矢印で示す方向に止水板本体１１の弾性反発力で固定することができる。この状態で水流が止水板本体１１に当たると水圧で押されてさらに垂直部２２が垂直面に押し付けられ、水平部２１も水圧によって直接水平面に押し付けられるので、水圧が高くなるほど止水板１は強固に固定される。
【００２５】
止水板本体１１の床面と接する部分は必要に応じて弾性のあるパッキンを取り付けたり、部分的に軟質樹脂を形成することで、不陸のある床面でもより密着させることができる。同様に取付具２の略Ｌ字形状の内面に水密性のあるパッキンを取り付けることで、コンクリート製の取付角部Ｂのように若干の不陸がある場合でもより水密性を高めることができる。
【００２６】
図６では他の実施形態としてより水位の高い場合を想定し、止水板本体１１を複数枚重ねて用いる場合を示す。基本構成は既に説明したものと同様であり、上下に重なる部分にパッキン５を取り付け水密性を高めている。なお、パッキン部分で上下の止水板本体１１を嵌合できればさらに安定して固定することができる。
【００２７】
このようにして設置される止水板は、予め取付金具を設ける必要がないので、緊急時以外は不必要な金具によって、建物の顔とも言える入口部分の見栄えを悪くすることがなく、コンビニエンスストア等の店舗のように開口部の大部分がガラスで形成された入口のドアの開閉の邪魔になったりすることもない。    
【産業上の利用可能性】
【００２８】
本発明は、容易に湾曲させることができる軽量の止水板であり、両端に取付具が設けられているので、緊急時に１人でも簡単に作業ができ、どこでも取り付けが可能なので、極めて有用で産業上の利用可能性が高い。
【符号の説明】
【００２９】
Ａ    開口部
Ｂ    取付角部
１    止水板
１１  止水板本体
２    取付具
２１  水平部
２２  垂直部
２３  固定部
３    一体化用固定具
【図１】
2020023801.tif 000003
【図２】
2020023801.tif 000004
【図３】
2020023801.tif 000005
【図４】
2020023801.tif 000006
【図５】
2020023801.tif 000007
【図６】
2020023801.tif 000008